Podtech/llm-jp-corpus-v4-ja_patent huggingface dataset:
(57)【要約】【課題】従来の灯具は、金網のガードやガラスやプラスチック類の発光部を覆うものが装着されているもの等があるが、金網の太さを最小限にすることや、ガラスやプラスチック類は透明や乳白色等可視性で光を通す構造になっているものが多い。これらは光の影になるものを極力抑えた構造が殆どであり、解決しようとする問題点でもある。【課題を解決するための手段】  本発明は、複数箇所の穴をもつ複数枚の板を、一定間隔を確保しながら重ね、太陽光や灯具等からの光を照射し、複数枚の各々の穴から通過した光を映し出すライトの構造を持つことにより解決する。【選択図】図１
2009170390.tif 000002
【特許請求の範囲】
【請求項１】
複数箇所の穴をもつ複数枚の板を、一定間隔を確保しながら重ね、灯具の光または太陽光を照射し、複数枚の各々の穴から通過した光を映し出すライトの構造。
【請求項２】
請求項１の複数枚の板の穴の形状が同一のものを、一定間隔を確保しながら重ね、灯具の光または太陽光を照射し、複数枚の各々の穴から通過した光を映し出すライトの構造。
【請求項３】
請求項１の複数枚の板の穴の形状が各々異なるものを、一定間隔を確保しながら重ね、灯具の光または太陽光を照射し、複数枚の各々の穴から通過した光を映し出すライトの構造。
【請求項４】
請求項１、請求項２、請求項３において、複数枚の板のうち一枚を固定し、他の板は回転させて重ねて配置し、灯具の光または太陽光を照射し、複数枚の各々の穴から通過した光を映し出すライトの構造。
【発明の詳細な説明】
【技術分野】
【０００１】  本発明は、演出照明と空間演出に関するものである。
【背景技術】
【０００２】  従来、家庭や施設等で使用される照明器具や舞台等で使われているステージ用ライト、懐中電灯等様々な灯具が存在する。【０００３】  しかし、これらの灯具は、必要用途に応じた形状や光量の違いはあるが、万華鏡に似た光の模様が出るものや、幾何学模様のような光を照射する灯具はなかった。
【発明の開示】
【発明が解決しようとする課題】
【０００４】  従来の灯具は、金網のガードやガラスやプラスチック類の発光部を覆うものが装着されているもの等があるが、金網の太さを最小限にすることや、ガラスやプラスチック類は透明や乳白色等可視性で光を通す構造になっているものが多い。これらは光の影になるものを極力抑えた構造が殆どであり、解決しようとする問題点でもある。
【課題を解決するための手段】
【０００５】  本発明は、複数箇所の穴をもつ複数枚の板を、一定間隔を確保しながら重ね、太陽光または灯具等からの光を照射し、複数枚の各々の穴から通過した光を映し出すライトの構造を最も主要な特徴とする。
【発明の効果】
【０００６】  本発明のピースライトは、十分に光量を確保すると同時に光の模様を照射することにより、演出効果が期待できる。
【発明を実施するための最良の形態】
【０００７】  従来からの種々ある灯具の構造、すなわち光源より照射する先の障害物が無くなった延長線に、本発明の、複数箇所の穴をもつ複数枚の板を、一定間隔を確保しながら重ね、各々の穴から通過した光を映し出すことにより、意図的に任意の模様を照射することができる。
【実施例１】
【０００８】  例えば、図１に示すように二枚の板で説明すると、板１板２の中間に一定間隔の隙間３を確保し、光源４の光を板２板１の穴６穴７を通過させることによって光５を照射する。
【実施例２】
【０００９】  図１に示すように板２の穴６を通過した光は、板１穴７を通過し、光型状８のように貫通する穴の形状の光を照射する。
【実施例３】
【００１０】  図１の板１板２の開穴は同一なのに対し、たとえば図２のように板１の穴７と異なる穴９をもつ板１０を重ねると、光源４から照射された光が板１０の穴９を通過し、さらに板１の穴７を通過することで光形状１１ができる。
【実施例４】
【００１１】  図３は、板１２を二枚重ねると、穴の形状が同じ形状なので穴の位置は同形状を保ち、光形状１３が照射できる。【００１２】  図４は、同じ穴をもつ板を重ねて一枚だけ回転させると、板１４のような模様の光形状１５となる。図５で更に別の角度に回転させてみると、板１６のような模様の光形状１７になり、回転さることによって光形状を変化させることが可能となり、万華鏡にも似た幾何学模様が照射できる。【００１３】  穴の開いた板は平面の板で図示したが、筒型や曲面等の板でも可能であり、複数枚の板や穴の形状や位置、穴数や大きさなどを組み合わせて回転させることにより、多種多様な光形状の模様をつくることができる上、光源は太陽光等自然光でも可能なため、図６に示すように本発明の本体を窓際等に置くことにより、光形状を変化させることで空間を演出できる。【００１４】  本発明は、太陽光または灯具の光の模様を照射する先端部が主体であり、ギア１８を連動させて一枚の板を回転させる等、詳しい回転構造は省略する。
【産業上の利用可能性】
【００１５】
【００１６】  本発明のピースライトは、従来の灯具の先端部に構造があるため、種々の灯具、例えば懐中電灯、スポットライト、演出用灯具等、家庭用業務用を問わず、殆どの灯具に容易に装着することが可能である。また任意の位置にピースライト本体を設置できるので、サッシやドア枠にも利用できる。
【図面の簡単な説明】
【００１７】
【図１】ピースライトの実施方法を示した説明図である。
【図２】ピースライトの実施方法を示した説明図である。
【図３】穴の開いた板の説明図である。
【図４】光形状の説明図である。
【図５】光形状の説明図である。
【図６】ピースライトの実施方法を示した説明図である。
【符号の説明】
【００１８】  １    板
２    板
３    隙間
４    光源
５    光
６    穴
７    穴
８    光形状
９    穴
１０    板
１１    光形状
１２    板
１３    光形状
１４    板
１５    光形状
１６    板
１７    光形状
１８    ギア
【図１】
2009170390.tif 000003
【図２】
2009170390.tif 000004
【図３】
2009170390.tif 000005
【図４】
2009170390.tif 000006
【図５】
2009170390.tif 000007
【図６】
2009170390.tif 000008
(57)【要約】      （修正有）【課題】現在は、自動車の左右に照明設備がなく、夜間の運転に於いて左右の安全確保が困難であるが、今後自動車の左右に照明設備をつける事で、夜間の運転に於いて左右の安全確保の問題を解決する。【解決手段】現在、自動車車体左右の照明設備のない車において、自動車車体左右に照明設備を設置する。車体左右に照明設備を設置することにより、夜間の運転に於いて左右の路肩状況、人等の障害物の確認がしやすくなり安全確保できる。【選択図】図１
2009161161.tif 000002
【特許請求の範囲】
【請求項１】
自動車の車体左右構造。
【請求項２】
自動車の左右側面に照明設備をもうける。
【発明の詳細な説明】
【技術分野】
【０００１】自動車の左右照明装置関するもの。
【背景技術】
【０００２】現在は左右に照明装置がない。
【発明の開示】
【発明が解決しようとする課題】
【０００１】夜間の運転時に左右が見えにくい。
【課題を解決するための手段】
【０００２】自動車の車体左右に照明装置をつける。
【発明の効果】
【０００３】夜間運転で自動車左右の路肩状況、人等の障害物の確認がしやすくなり安全運転につながる。
【発明を実施するための最良の形態】
【０００４】図１の様に、照明装置と書かれた場所に照明装置を設置する。なお、車の形状により設置場所は、変更するものとする。
【実施例】
【０００５】例えば、図１の様に実施する。
【産業上の利用可能性】
【０００６】本発明は、自動車産業分野利用可能。
【図面の簡単な説明】
【０００７】
【図１】照明装置と書かれた場所に照明装置を設置する。▲１▼、▲２▼は車の形状により設置場所は、変更すると言う例。
【図１】
2009161161.tif 000003
(57)【要約】      （修正有）【課題】夜間の対向車ライトの眩惑は運転上の安全を防げる素因の一つとなっており、夜を通して走る長距離運転のドライバーは一晩中対向車ライト眩惑に照らされての走行からのがれる術のない現状である。【解決手段】選択図に示しているようにセット終了のライトの眩惑遮断板は運転者の視点から１５〜２０ｃｍ離れた位置にあり、この中に大型車までがすっぽりと入ってしまいライトの位置は遮断板の中央にある、尤も顔の上げ下げまたは座高の違いや背丈の違いで多少のづれはあるし、首を左右に傾けることでも、遮断板の左端がセンターラインをはみ出すことあるが、自分の車が進む前方視界への支障になることはない。【選択図】図５
2009161030.tif 000002
【特許請求の範囲】
【請求項１】
日除Ｈの軸芯Ｇへの通孔１突出部２のある回転子３を形成し、別に切欠部
2009161030.tif 000004
状に接着固定すると共に、ネジ溝付鍵状軸芯７−７’を通し、ナットにて抜け止めし孔８切欠９固定棒１０にライト光眩惑遮断板１１を貼着し之を上記鍵状軸芯７’に通し抜止して完了、之を日除Ｈの軸芯Ｇに通して終了する。
【請求項２】
固定棒１０に貼着の眩惑遮断板を廻して下げた位置が、対向車ライトのほぼ中心に入る位置になるように形成したことを特徴とした［請求項１］に記載の眩惑遮断板。
【発明の詳細な説明】
【技術分野】
【０００１】  車における対向車ライトの眩惑のみを遮断する装置に関する。
【背景技術】
【０００２】  現時点で夜間の対向車ライトの眩惑を防ぐ手段は見当たらない。【０００３】  車が発明された時同時に日除も付設されたと思う。この日除け同様に夜間を走るに当たってのライトの付設もあったと思われる。【０００４】  世界中で走るあらゆる車に付設の日除けの幅はほぼ一定しているこの点を改めて考えてみるとき太陽の眩惑を防ぐ目的と運転視界の安全上のバランスを図ってのベストの幅であると思料できる。【０００５】  然し日除けの幅では昇る朝日や沈みゆく夕日の眩しさを防ぐことはできない。【０００６】  上記と同様夜間の対向車ライトの眩惑位置は地平線から昇る朝日や沈み込む夕日の位置と同じ位置にある。【０００７】  太陽の夕日は沈み切れば眩惑は消えてしまう。この時間はさほど長くないが、夜間の対向車ライトの眩惑は一晩中続くわけで然るに防ぐ術がない。この点を意識的に考えるとき現代の車の持つ最大の欠点であると言えると思う。この様に考えるとき車を作る人々は考えて努力をしてはいるのだろうが効果的手段もないまま今日に至っている。
【発明の開示】
【発明が解決しようとする課題】
【０００８】  上記の様に考えるとき対向車ライトの眩惑は防がねばならない。然し安全運転上支障が生ずる懸念の伴う手段での解決では意味がない。目的の理想は眩惑だけを防ぐことにある。このように考えると難しいが解決をしなければならない課題であると言えると思う。
【課題を達成するための手段】
【０００９】  日除Ｈの軸芯Ｇへの通し孔１、突出部２を付けた回転子３を形成し、別に
2009161030.tif 000003
部２部分に縦に接着固定する。次いでネジ溝付鍵状軸芯７−７’を形成し之を通しナットにて抜止し、続いて孔８切欠９を設けた固定棒１０にライト光眩惑遮断板１１を貼着し之を上記鍵状軸芯７’に通し抜止して完了形成した之を上記日除Ｈの軸芯Ｇに通す。
以上の構成を有する夜間の対向車ライトの眩惑遮断装置。
【構成パーツの役割作用につき説明する】
【００１０】  ［図１］は装置の収納状態を示しているが、使用しない時は運転にいささかの支障もないようコンパクトで完璧な収納となっている。
【使用要領につき説明する。】
【００１１】  先づ日除Ｈ共々装置を下げて装置を右に廻し、日除を上に戻し、装置を左に戻すと共に遮断板を回転させるように下げてセットは完了する。
【００１２】  完了した遮断板の位置は、大型車ライトが真ん中に入る位置であり「図６］［図７］に示すようにドライバーの視点からは水平に且つ遮断板と視点とは１５〜２０ｃｍ離れた位置にある。尤も顔の上げ下げまたは座高の異いや背丈の差により多少のずれはあろうし、首を左右に傾けることで遮断板の左端がセンターラインからはみ出すことにはなるが、対向車がはみ出ることはない。よって自動車が進む前方の支障となることはない。
【発明の効果】
【００１３】  上記構成の装置及びその作用により夜間の対向車のライトの眩惑だけを遮断することが可能となった。この事により自分の走る前方の視界の鮮明度が高まったこと。
【００１４】  従来のように夜を撤して走る続けるドライバーの対向車ライトの眩惑を見続けざるを得ないことから生ずる視神経の疲労の連鎖により、更に増殖される身体その疲労度は極限の域に達するものと言えると思う。そしていわゆる過労による運転ミスによる事故という惨事が起こされて来た。然し上記眩惑が遮断されることにより上記マイナスはゼロに近づく効果を有し、安全運転持続性が高まるとする効果、以上の効果をもたらす夜間の対向車ライトの眩惑遮断装置を提供することができる。
【発明を実施するための最良の形態】
【００１５】  各図に示すように各パーツに形状は極めて単純であり、また素材の９０％がプラスチック材であるから量産に当たっての金型加工ものそれ程難しくはなく４ケの金型で可能であり組立作業も単純なものである。
【図面の簡単な説明】
【図１】  装置の収納を示す側面図
【図２】  日除と共に装置を下げた状態を示す正面図
【図３】  装置を右に廻した状態を示す正面図
【図４】  日除を上の戻し装置を左に戻した状態を示す正面図
【図５】  眩惑遮断板を廻す要領で下げた状態を示す正面図
【図６】  運転席から見た装置の位置と道路のラインを示す正面図
【図７】  装置と運転者の視点と距離を示す側面断面断片図  図中の同一符号は共に同一を示すものである。
【符号の説明】
１〜      軸芯Ｇへの通し孔
２〜      突出部
３〜      回転子
４〜      切欠部
５〜      軸芯通孔
６〜      棒状片
７〜７’〜鍵状軸芯
８〜      孔
９〜      切欠
１０〜    固定棒
１１〜    眩惑遮断板
Ｈ〜      日除
Ｇ〜      軸芯
Ｔ〜      ツマミ
Ｓ〜      ストッパー
Ｍ〜      ミラーとミラーカバー
Ｌ〜      車のライトの位置
【図１】
2009161030.tif 000005
【図２】
2009161030.tif 000006
【図３】
2009161030.tif 000007
【図４】
2009161030.tif 000008
【図５】
2009161030.tif 000009
【図６】
2009161030.tif 000010
【図７】
2009161030.tif 000011
(57)【要約】      （修正有）【課題】錨が水底の障害物から外れず回収ができなくなることを防止する。【解決手段】錨の爪３の基部を錨の軸２に固定する方法として、一定以上の力により切断する拘束索７を使用する錨。錨の爪は概ね４５度に屈曲した金属棒からなり、屈曲部分を中心にして各々の爪が独立して回転する構造となっている。爪の基部の軸に平行となる部分で各々の爪を纏めて軸に拘束索により固定している。梃子の原理で一定の力によって拘束索が切断し、爪は下方に回転して水底の障害物から外れる。錨の爪が水底の岩礁の穴等に入り、爪の回転だけでは離脱できない状態である場合は、錨をさらに一定以上の人為的な力で引くことにより、その爪の脱落防止バンド８が切断し、穴等に入った爪が錨本体から外れ、1本の爪のみを水底に残すだけで錨本体を回収することができる。【選択図】図１
2009161081.tif 000002
【特許請求の範囲】
【請求項１】
錨の爪の基部を錨の軸に固定する方法として、一定以上の負荷により切断する結束バンドを使用し、錨に人為的に力を加えることにより結束バンドが切断し、爪が回転することにより水底の障害物から容易に離脱できることを特徴とする錨。
【発明の詳細な説明】
【技術分野】
【０００１】
本発明は、水底に岩礁や漁礁、破棄された漁具等、障害物のある場所で小型船が使用する錨に関するものである。
【背景技術】
【０００２】
従来は、爪固定式の錨の場合、錨の下部先端部分と錨綱を繋ぎ、錨綱の途中から紐を錨の上部先端部分に固定する。錨に一定以上の力がかかると紐が切れて錨綱は直接錨の下部先端部分から引き上げる状態になり、錨を外し易くする工夫をしている。
あるいは、錨の爪自体を一定の力で変形しやすい剛性のもので作り、錨を障害物から外し易くする工夫をしている。
いずれの場合も、障害物に対する爪の掛かり具合によっては離脱が困難なケースが多く、錨を放棄せざるを得ないこともしばしばある。
【０００３】
以上の問題を解決するべく、本発明と同種の爪折れ方式の錨が他に特許申請されているが、それらの構造が複雑なために、水底の泥が錨の構造内部に浸入し、また海では塩が付着し、機能的障害を起こす確立が高いとの課題が残されている。また複雑な構造は製造コスト等の経済性にも問題がある。
【特許文献１】特開２００５−１０４４４３
【発明の開示】
【発明が解決しようとする課題】
【０００４】
錨が水底の障害物から外れず回収ができなくなる点である。
【課題を解決するための手段】
【０００５】
錨の爪の基部を、一定以上の人為的な力によって切断する結束バンドによって錨の軸に固定することを最も主要な特徴とする。
【発明の効果】
【０００６】
本発明の錨は、船の動力や人力等の人為的な一定以上の力で引くと、爪の基部を束ねている結束バンドが切断し、錨の爪が下方に向かって回転する。これにより錨は水底の障害物から容易に離脱することができる。
【発明を実施するための最良の形態】
【０００７】
錨の爪は概ね４５度に屈曲した金属棒からなり、屈曲部分を中心にして各々の爪が独立して回転する構造となっている。爪の基部の部分で各々の爪を束ねて、軸に結束バンドにより固定している。
【０００８】
水底の障害物に掛かった本発明の錨を一定以上の人為的な力で引くと、爪に下方への回転力が働き、爪の基部の結束バンドに梃子の原理で力が加わる。それが一定以上の力になると結束バンドが切断し、爪が下方に回転する。これにより、障害物からの離脱が可能となる。
【０００９】
錨の爪が水底の岩礁の穴等に入り、爪の回転だけでは離脱できない状態である場合は、錨をさらに一定以上の人為的な力で引くことにより、その爪の脱落防止バンドが切断し、穴等に入った爪が錨本体から外れ、1本の爪のみを水底に残すだけで錨本体を回収することができる。
【００１０】
結束バンドを錨の軸に沿って上部に移動させることによって爪を回転させることができ、錨全体をコンパクトに畳むことができる。
【００１１】
結束バンドは、たとえば樹脂製のケーブルタイのような、汎用品で容易にスペアーとして入手でき、かつ再結束が容易なものを選定できる。また、どの程度の人為的な力で錨を引けば結束バンドが切断するかについては、結束バンドの材料を様々な引張強度を持つ各種繊維、金属線、合成樹脂等の中から自由に選定することにより、使用する環境や条件に合わせることができる。
【実施例１】
【００１２】
図１は、本発明の１実施例の正面図であって、７の結束バンドが切断し、図２のように爪が下方に回転し、錨は水底の障害物から離脱できる。
【００１３】
図６は、爪が水底の岩礁の穴に入った状態を示しており、爪の回転だけでは離脱できない。
【００１４】
図７は、８の爪脱落防止バンドが切断し、爪一本が錨本体から外れた状態を示す。
【産業上の利用可能性】
【００１５】
結束バンドや錨の爪は、スペアーをあらかじめ用意しておけば、障害物から離脱した後の水上での錨の修復が可能となる。
【００１６】
錨を構成する各パーツは、樹脂等の安価で耐食性に優れた材料を使用し、かつ分解が可能で、清掃や部品交換等のメンテナンスが容易である。
【図面の簡単な説明】
【００１７】
【図１】本発明の実施例１の正面図である。
【図２】爪が下方に回転したときの状態を示している。爪は下方に向くまで回転する。爪は、９の爪脱落防止瘤部、８の爪脱落防止バンドにより、錨本体から離れることはない。
【図３】拘束索を錨の軸に沿って上部に移動させることによって爪の基部が外れ、爪を回転させることができ錨全体をコンパクトに畳むことができる。図３は爪をたたんだ状態の正面図であって、４の爪ホルダーに３の爪を嵌め込んで、畳んだ状態の爪が開かないようにすることができる。
【図４】図１を水平に４５度回転させて見た場合の側面図である。
【図５】本発明の実施例１の平面図である。
【図６】爪が水底の岩礁の穴に入った状態を示す。
【図７】爪が錨本体から外れる状態を示す。
【符号の説明】
【００１８】
１  錨綱を繋ぐシャックル
２  錨の軸
３  錨の爪（９０度ごとに４本同じ形状機能で配列）
４  爪ホルダー
５  連結ジョイント
６  結束バンド付きのシリンダー
７  結束バンド
８  爪脱落防止バンド
９  爪脱落防止瘤部
【図１】
2009161081.tif 000003
【図２】
2009161081.tif 000004
【図３】
2009161081.tif 000005
【図４】
2009161081.tif 000006
【図５】
2009161081.tif 000007
【図６】
2009161081.tif 000008
【図７】
2009161081.tif 000009
(57)【要約】【課題】陶器全体に施釉しようとすると陶器が棚板にくっつき剥がしにくくなる、棚板から剥がした面の外観が汚くなる、また陶器に穴を開ける施釉方法を用いると全体に施釉できるが陶器の美観が損なわれる。この様な不都合を解決すること。【解決手段】最初に陶器の底の部分には釉薬を塗らずに上の部分だけに高温用釉薬を塗り、焼く。次に高温用釉薬を塗らずにあけておいた底の部分に低温用釉薬を塗った後に高温用釉薬が施釉済みの部分を棚板と接する下側にして再度焼くことによりこの課題を解決する。【選択図】図２
2009161419.tif 000002
【特許請求の範囲】
【請求項１】
陶器の釉薬を施す場合に最初に陶器の上の部分に高温でしか溶けない釉薬を塗り、高温用釉薬の塗られていない陶器の底の部分を下にして一度焼く。窯出し後に高温用釉薬を塗っていなかった陶器の底の部分に、再度低温度で溶ける釉薬を塗り、高温用の釉薬を塗った側を下にして再度焼く。溶ける温度の異なる釉薬２種類を一回づつ計二回塗り、釉薬に合致した温度で一度づつ計二回焼く事を特徴とする陶器の施釉方法。
【発明の詳細な説明】
【技術の分野】
【０００１】  本発明は陶器の施釉方法に関するものであり、高温でしか溶けない釉薬と低温でも溶ける釉薬の２種類を用い、高温で一回、低温で一回の計二回、窯で焼くことよって陶器の全体に釉薬をきれいに施釉することができるようにしたものである。
【背景技術】
【０００２】  従来から、窯の棚板と接する底の部分には施釉されていない陶器、あるいはどうしても陶器全体に施釉したい場合には陶器に穴を開け針金などで吊るし、棚板と陶器が接しないようにして全体に施釉する方法で作られた陶器が利用されているが特許文献、非特許文献ともにこの例を特に知りません。
【発明の開示】
【発明が解決しようとする課題】
【０００３】  しかし、従来の同じ温度で溶ける釉薬を１種類のみ使用した施釉方法ではもし陶器の全体に施釉しようとすると熱せられて溶けた釉薬が窯の棚板に付着してしまい、陶器が棚板にくっつき棚板から剥がしにくくなったり、棚板から剥がした面に棚板から剥がれた異物が陶器について汚くなったりした。そのため従来は陶器の底の部分には釉薬を塗らずに施釉するのが普通であった。もし、どうしても陶器の全体に施釉したい場合には陶器に穴を開けて針金で吊るしたりして棚板と陶器が接触しないようにするなどの工夫をしなければいけなかった。本発明はこのように陶器全体に施釉しようとすると陶器が棚板にくっつき剥がしにくくなる、剥がした面の外観が汚くなる、また陶器に穴を開ける施釉方法を用いると陶器の美観が損なわれるという不都合を解決することを課題とする。
【課題を解決するための手段】
【０００４】  この課題を解決するための請求項１の発明は、高温でしか溶けない釉薬と低温でも溶ける釉薬の２種類を用いることを特徴する。また高温用釉薬を塗った後に一度焼き、次に低温用釉薬を塗った後に再度焼くという二度焼きをも特徴とする。この施釉法を用いることによって陶器全体にきれいに施釉することができる。１回目の施釉である高温用釉薬を施す場合には、従来から広く実施されている方法を用いる。その方法は釉薬が熱で溶けて液体状になって下へ垂れてきたとしても棚板に触れないように陶器の底の部分は釉薬を塗らずにあけておき、そしてその釉薬が塗られていない底の部分を棚板と接する下側にして棚板に置き、１２００度から１２８０度ほどの高温で焼くというものである。従来の施釉はこれで完了であった。確かに陶器の上の部分はきれいに施釉されるがしかし陶器の底の部分は施釉できなかった。これを解決するために窯出し後に陶器の底の部分に低温度でも溶ける釉薬を塗り、高温用の釉薬の施釉が完了した陶器の上の部分を棚板と接する下側にして棚板に置き、今度は８３０度から８５０度ほどの低温で焼く。この２度目の低温での焼きでは低温用の釉薬は溶けるが棚板に接している高温用の釉薬は８３０度から８５０度の低温度では溶けない。従って棚板に接している釉薬が溶けて棚板にくっついて剥がしにくくなったり、棚板から剥がした面に棚板から剥がれた異物がくっついたりして汚くなったりするのを防止でき、きれいに施釉することができる。また、陶器に穴を開ける必要はないので美観も損なわれない。
【発明の効果】
【０００５】  本発明により、釉薬が溶け棚板に陶器がくっついて剥がしにくくなったり、棚板から剥がした面に棚板の異物がついたりして汚くなる、また陶器に穴を開ける施釉方法からくる美観を損なうという不都合はおきず、陶器の全体に釉薬をきれいに施釉する事ができる。
【発明を実施するための最良の形態】
【０００６】  図１は従来の方法で施釉した陶器の正面図である。高温用の釉薬を用い、陶器の底の部分は塗らずにあけ、その釉薬の塗られていない底の部分を棚板と接する下側にして焼いたものである。同図の棚板と接する陶器の底の部分には施釉はしていないので釉薬が垂れて棚板に釉薬がくっついてしまう事はない。【０００７】  図２は従来の方法で陶器の上の部分の施釉が完了したものに、本発明の方法で低温用釉薬を陶器の底の部分に施釉したものの正面図である。この図のように高温用釉薬の施釉が完了した陶器の上の部分を棚板と接する下側にして置き、焼く。棚板と接している高温用釉薬が溶けて棚板にくっつくことはないのできれいに施釉することができる。
【産業上の利用可能性】
【０００８】本発明にかかる陶器の施釉方法は、工業的に量産する事が可能であるため、産業上の利用可能性を有する。
【図面の簡単な説明】
【０００９】
【図１】従来の方法で陶器の上の部分に高温用釉薬で施釉が完了した陶器の正面図である。
【図２】本発明の方法で陶器の底の部分に低温用釉薬を塗り、図１の状態から１８０度回転させ、上側と下側を逆転させた状態で棚板に陶器を置き、焼き、全ての施釉の工程が完了した陶器の正面図である。
【符号の説明】
【００１０】１  陶器の上の部分である
２  陶器の底の部分である
３  棚板である
【図１】
2009161419.tif 000003
【図２】
2009161419.tif 000004
(57)【要約】【課題】進行方向前後に出入口を具備する斜行エレベーターにおいて、オーバーラン時、エレベーターカゴが乗場出入口敷居に接触破損することを防ぐ回転敷居とスライド式敷居および扉開放係合装置に衝撃吸収用バネ、伸縮材を具備する扉開閉装置に．関するものである。【解決手段】本発明は、進行方向の前後に出入口を具備する斜行エレベーターの乗場正面と背面に可動敷居１とスライド敷居受け２を設けることにより、オーバーランにによる、乗場出入口との接触破損防止およびカゴ７が乗場出入口に接触、衝突する事によるカゴ室内の衝撃を緩和する。また、扉開放装置の係合ローラー側には、バネまたは、伸縮材が具備してあり、衝撃力を吸収することが可能となっている。【選択図】図１
2009161300.tif 000002
【特許請求の範囲】
【請求項１】
進行方向正面、背面に出入口を具備する斜行エレベーターにおいて、電気系統等のトラブルにより、正規の位置に着床せず、オーバーランした時、出入口敷居の破損を防止すると同時にかご室に加わる衝撃を緩和することを目的とした、出入口敷居を回転式可動敷居としたことを特徴とするエレベーターのドア開閉装置。
【請求項２】
進行方向正面、背面に出入口を具備する斜行エレベーターのドア開閉装置において、カゴが正規位置を行きすぎた場合、敷居は回転、敷居を支える敷居受けは、カゴに押されてスライドすることにより、破損を防ぐ構造としたスライド式敷居受。
【請求項３】
進行方向正面、背面に出入口を具備する斜行エレベーターのドア開閉装置において、係合して連動する扉の係合ローラー側にカゴが正規位置をオーバーランした場合、衝突エネルギーを吸収するスプリング、伸縮材を具備する係合装置。
【発明の詳細な説明】
【技術分野】
【０００１】  本発明は、進行方向正面、背面出入口を具備する斜行エレベーターで、行過ぎ時、乗場出入口の接触破損を防止する可動敷居付ドア開閉機構に関するものである。
【背景技術】
【０００２】  従来、斜行エレベーターの出入口は、進行方向側面に取付けてあり、乗場出入口とかごが衝突、接触することは殆どなかった。従って、乗場出入口と衝突防止装置を取付ける必要がなかった。
【発明の開示】
【発明が解決しょうとする課題】
【０００３】  以上に述べた従来の斜行エレベーターでは、乗場出入口とかごが衝突することがないが、本発明の斜行エレベーターは出入口が進行方向の前後に設置しているため、ブレーキ、リミットスイッチ等、機械・電気系統に不具合が生じた時、カゴと出入口が接触破損する可能性がある。エレベーター昇降路ピット内には、緩衝器が設置してあり、かご枠は緩衝器にあたることにより、安全に静止できるが緩衝器が十分に衝突エネルギーを吸収する前にカゴ敷居と乗場出入口に接触、かご、出入口を破損する可能性がある。本発明はこれらの欠点を解決できるようしたものである。
【課題を解決するための手段】
【０００４】  本発明は、出入口の敷居を衝突直前、乗場、カゴの出入口に取付けられたカムとローラーにより、出入口敷居を機械的に回転させる。また、乗降時荷重を支持する敷居受けは、スライド式となっており、カゴがオーバーランした場合等、カゴに押されるとスライドして、引込む構造となっている。これにより、前述の問題を解決している。
【発明の効果】
【０００５】  本発明の装置を具備することにより、エレベーター着床時にブレーキ、スイッチ等、機械・電気系統が故障した場合でも乗場出入口に衝突することなく、出入口敷居やかご室を破損することなく、カゴ室内の乗客の安全確保が可能となる。
【発明を実施するための最良の形態】
【０００６】  以下本発明の実施の形態を説明する。乗場敷居受はスライド式となっており、かごに押されて引っ込む構造となっている。乗場敷居は上部に取付けられたローラーに連結した引上げロッドにより、連動して回転する構造、或いは、敷居下部に取付けられたローラーがカゴカムに押されて回転する構造となっている。乗場敷居はヒンジにより、支持されており、回転する構造になっている。【０００７】  出入口敷居の下に取付けられた敷居受は、スライド式となっており、オーバーラン時にカゴにより、押されることにより、引き込むようになっている。【０００８】  出入口扉に設置された戸開放用係合装置には、カゴオーバーラン時に発生する衝撃エネルギーを吸収するバネあるいは、伸縮材が具備されている。
【実施例】
【０００９】  以下図面に沿って、実施例を説明する。本斜行エレベーターは図１〜図９に示す如く、乗場側は進行方向の正面、背面に設置、カゴ側は進行方向の前後に出入口が設置されている。カゴ７がスイッチなどの電気系統の故障で正規の着床位置に停止せず、オーバーランした場合、乗場と衝突、接触破損を防ぐため、乗場出入口に設置され乗場ローラー４は、カゴ７のカゴカム３により押されて可動敷居１に連結したロッドにより、敷居を引上げる構造となっている。また、敷居を支えるスライド敷居受２はカゴ７におされて、スライドする構造となっている。また、扉に取付けられた扉開放装置には、ドア開放カム８及び係合ローラー９が具備されており、係合ローラー９側にはバネあるいは、伸縮材が取付られている。【００１０】  図５〜図６は、敷居下部に回転ローラーが取付けられた構造の敷居でかご下部設置のカゴカム３に押されて可動敷居１が回転し、跳ね上がる構造となっている。
【図面の簡単な説明】
【０００１１】
【図１】は下方階出入口断面図（機構作動図）
【図２】は上方階出入口断面図（機構作動図）
【図３】は敷居詳細図（作動前）
【図４】は敷居詳細図（作動後）
【図５】は下部ローラー付敷居詳細図（作動前）
【図６】は下部ローラー付敷居詳細図（作動前）
【図７】は昇降路断面図
【図８】は昇降路平面図
【図９】は扉開放機構側面図（扉に取付けられた係合装置の側面）
【符号の説明】
【００１２】１．可動敷居
２．スライド敷居受
３．カゴカム
４．乗場ローラー
５．乗場扉
６．カゴ扉
７．カゴ
８．ドア開放カム
９．係合ローラー
１０．伸縮材
【図１】
2009161300.tif 000003
【図２】
2009161300.tif 000004
【図３】
2009161300.tif 000005
【図４】
2009161300.tif 000006
【図５】
2009161300.tif 000007
【図６】
2009161300.tif 000008
【図７】
2009161300.tif 000009
【図８】
2009161300.tif 000010
【図９】
2009161300.tif 000011
(57)【要約】【課題】  従来、片手が不自由な人が缶ジュース類の開栓をすることは大変不自由であつた、これは缶類を固定する補助具が身近に無い為である。【解決手段】缶ジュース類を固定する取り付け具を机等に動かぬように固定して、その取り付け具にベルトにて缶ジュース類をしつかり巻きつけて動かぬようにすることで片手で自由に開栓が出来る【選択図】図２
2009161244.tif 000002
【特許請求の範囲】
【請求項１】
取付け具に缶ジュース類の側面をゴム付きのバンドで締め付けて固定し、また取付け具の底面にはマグネツト板と両面テープを取りつけてあり、金属板及び木材板にも固定出来て片手で缶ジュース等を開栓することが出来る事を特徴とした開栓補助具である。
【発明の詳細な説明】
【技術分野】
【０００１】  本発明は，缶ジュース類を片手で開栓する為の補助具に関するものである。
【背景技術】
【０００２】従来、家庭や病院等に於いて怪我や骨折で片手が使用出来ないような場合、開栓は他人に依頼したり、自分の口や脇腹や両股に挟んで固定して開栓していた。【０００３】  図１に於いて、開栓対象の缶ジュース類には、ねじる、回す、引き上げ、または栓抜き具を必要するものがあり全て片手開栓は困難であつた。
【発明の開示】
【発明が解決しようとする課題】
【０００４】  缶ジュース類の片手での開栓は自由に飲みたい時にのむことをためらい、特に病弱者や高齢者には負担があり我慢することがあり大変不便であった。
【課題を解決するための手段】
【０００５】  本発明は、缶ジュース類の取り付け具を設け、缶の側面部をゴム状のバンドで締め付けて動かないように固定し、また取り付け具の底面には開栓時に動かないようにマグネツト板及び両面テープが取りつけてあり片手開栓時の不自由さを解決している。
【発明の効果】
【０００６】  上述の様に、本発明の缶ジュース類の取り付け具は片手が使える人はいつでも自由に飲みたい物をのむことが出来る、特に病院等の自動販売機等の横または病室に設置すれば患者方にも大変喜ばれるものである。
【発明を実施する為の最良の形態】
【０００７】  以下、本発明の実施形態を図１〜図５に基づいて説明する。
【０００８】  図２においては、缶ジュース１を取り付けた状態の上面を示し、２は取り付具本体、３ａ及び３ｂはバンドを支えるピンを示す、４は缶ジュース類を締め付け固定するバンドで５はゴム部である、また８はマジツクテープ取り付け部を示す。
【０００９】  取り付具２の底面にのマグネツト板６を固着し、その下に両面テープ７も固着してある。
【００１０】  以下、上記構成の作動を説明する。まず、取り付具２を木製の机又は金属製の机等に動かないように固定する場合に木製の場合は両面テープ７を剥がして接着するが金属製の場合はそのまま取り付け固定する。
【００１１】  また、取り付具２にはＶ状の切り込みがあり缶ジュース類を置いて固定すると常に中心に作用するものである、
【００１２】  本補助具を使用前の状態はピン３ａに固定されたバンド４がピン３ｂを支点にして自由に広がる為に利用者は片手にて簡単にジュース類を取り付け出来る。
【００１３】  取り付具２に取り付いた缶ジュース類１はバンド４の先端を片手で強く引いてマジツクテープで固定すると、ゴム５の摩擦抵抗で缶ジュース１は完全に動かぬように固定される故に後は片手でジュース類のキャツプを取る事が出来る。
【００１４】  以上のような効果があるために病院及び老人介護施設または一般住宅、商店街等の自動販売機周辺に設置することで障害者の方々に大変喜ばれるものである。
【図面の簡単な説明】
【００１５】
【図１】  本発明の対象となる缶ジュース類の外観図
【図２】  本発明の実施形態を示す開栓補助具の上面図
【図３】  図２におけるＡ−Ａ断面図
【図４】  同開栓補助具の正面図
【図５】  同開栓補助具の斜視図
【符号の説明】
【００１６】１    缶ジュース
２    取り付具
３ａ  ピン
３ｂ  ピン
４    バンド
５    ゴム
６    マグネット板
７    両面テープ
８    マジックテープ
【図１】
2009161244.tif 000003
【図２】
2009161244.tif 000004
【図３】
2009161244.tif 000005
【図４】
2009161244.tif 000006
【図５】
2009161244.tif 000007
(57)【要約】【課題】  海やプールにおいて、水着を着用したままでトイレを利用する際、水着が濡れているとき、水着が身体に密着するため、水着の脱ぎ着は、特にハンディキャップ（身体障害）を持つ人にとっては、大変困難である。  これを解決するために、脇開閉式水着セパレーツ型（１）ワンピース型（２）を提供する。【解決手段】  脇開閉式水着セパレーツ型（１）のパンツ部の右脇ウエスト位置の約５ｃｍ下から最下部まで切込みを設け、開閉可能にする。（１）のパンツ切込みにファスナーを設ける。  脇開閉式ワンピース型（２）の右脇のウエスト位置の約５ｃｍ下から最下部まで切込みを設け、開閉可能にする。（２）の切込みにファスナーを設ける。【選択図】図１
2009161875.tif 000002
【特許請求の範囲】
【請求項１】
脇開閉式水着セパレーツ型（１）パンツ部と、ワンピース型（２）の右脇のウエスト位置の約５ｃｍ下から最下部まで切込みを設ける。
（１）のパンツ部右脇と、（２）の切込みにファスナーを設ける。
ファスナーを設けた（１）（２）の肌に触れる部位に、当て布を設ける。
ファスナーを設けた（１）（２）の表側のファスナーを共布、デザイン等で隠す。
以上のように構成された脇開閉式水着。
【発明の詳細な説明】
【技術分野】
【０００１】  この発明は、脇開閉式水着に関するもので、海やプールにおいて、水着を着用後、濡れた水着を脱ぎ着することは大変であった。
そこで、水着が濡れた状態時、脱ぎ着しなくてもトイレが利用できるように工夫した脇開閉式水着セパレーツ型（１）脇開閉式水着ワンピース型（２）に関するものである。
【背景技術】
【０００２】  従来、海やプールにおいて、水着を着用したままで、トイレを利用する際、特に水着が濡れているとき、水着が身体に密着しているため、脱ぎ着が大変困難であった。
【発明が解決しようとする課題】
【０００３】  これは次のような欠点があった。
（イ）水着を着用したままで、トイレを利用しようとした際、濡れた水着を脱ぐと、肌に密着しているため、再び着用することが大変困難であった。
（ロ）無理に引き上げると生地が破れることもあった。
本発明は、以上のような欠点をなくすためになされたものである。
【課題を解決するための手段】
【０００４】  脇開閉式水着セパレーツ型（１）のパンツ右脇のウエスト位置の約５ｃｍ下から最下部まで切込みを設ける。
（１）のパンツ右脇切込みにファスナーを設ける。
ファスナーを設けた（１）のファスナーが肌に触れる部位に、当て布を設ける。
ファスナーを設けた（１）の表側のファスナーを、共布、デザイン等で隠す。
本発明は、以上の構成よりなる脇開閉式水着セパレーツ型（１）である。
本発明を使用する場合は、脇開閉式水着セパレーツ型（１）のパンツのファスナーを閉た状態で装着する。
トイレを利用する場合は、パンツの裾を左手で押さえ、右手でファスナーを最上まで開け、開いた右脇の布を左足の方向に持ち上げるようにめくり上げる。
水着のファスナーを閉じる時は、めくり上げた右足の布を、元に戻し、左手でパンツの裾を押さえ、右手でゆっくりとファスナーを上から下へと下ろす。
【０００５】  脇開閉式水着ワンピース型（２）の右脇のウエスト位置の約５ｃｍ下から最下部まで切込みを設ける。
（２）の右脇切込みにファスナーを設ける。
ファスナーを設けた（２）の肌に触れる部位に、当て布を設ける。
ファスナーを設けた（２）の表側のファスナーを、共布、デザイン等で隠す。
本発明は、以上の構成よりなる脇開閉式水着ワンピース型（２）である。
本発明を使用する場合は、脇開閉式水着ワンピース型（２）のファスナーを閉めた状態で装着する。
トイレを利用する場合は、水着の裾を左手で押さえ、右手でファスナーを最上まで開け、開いた右脇の布を左足の方向に持ち上げるようにめくり上げる。
水着のファスナーを閉じる時は、めくり上げた右部の布を、元に戻し、左手で水着の裾を押さえ、右手でゆっくりとファスナーを上から下へと下ろす。
【発明の効果】
【０００６】  本発明は、水着が濡れていると体にまとわりつき脱ぎ着しにくい。
この脇開閉式水着は、健常者及び、特にハンディキャップ（身体障害）を持つ人にも脱がずにトイレがスピーディーにでき、安心感が得られる。
【発明を実施するための最良の形態】
【０００７】  以下、本発明を実施するための最良の形態について説明する。
（イ）脇開閉式水着セパレーツ型（１）脇開閉式水着ワンピース型（２）の右脇のウエスト位置の約５ｃｍ下から水着の最下部まで切込みを設ける。両側が開閉しなくてもトイレの用を足す事は可能である。
（ロ）脇開閉式水着セパレーツ型（１）のパンツ右脇の切込みにファスナーを設ける。
（ハ）脇開閉式水着ワンピース型（２）の右脇切込みにファスナーを設ける。
（ニ）ファスナーは錆びない素材の、軽量で、大きめのものを使用する。
（ホ）ファスナーを設けた（１）（２）の肌に触れる部位に、当て布を設ける。
（ヘ）ファスナーを設けた（１）（２）のファスナーの表側を共布、デザイン等で隠す。ウォーキング等で腕がファスナーに触れないようにするためである。
本発明は以上の構成よりなっている。
本発明を利用する場合は、水着の裾を左手で押さえ、右手でファスナーを最上まで開け、開いた右脇の布を左足の方向に持ち上げるようにめくり上げる。
水着のファスナーを閉じる時は、めくり上げた右足部の布を、元に戻し、左手で裾を押さえ右手でゆっくりとファスナーを上から下へと下ろす。
【図面の簡単な説明】
【０００８】
【図１】本発明の着用時のセパレーツ型（１）のパンツの右足脇側の説明図である。
【図２】本発明の着用時のワンピース型（２）の右脇側の説明図である。
【符号の説明】
【０００９】    １  パンツ部
２  ファスナー
３  縫合部
４  右脇部
【図１】
2009161875.tif 000003
【図２】
2009161875.tif 000004
(57)【要約】 【課題】      圧接力調整式薄板掻取り装置を取り付けることで、ベルトコンベアの戻り側ベルトに付着した残渣の除去効率を上げる。【解決手段】    薄板を巻き取りしたロール１に取り付けたロール回転軸２を、押し出しシリンダー１２の往復運動で回転させる。正回転のときには、ロール回転軸２が回転し薄板を巻取りしたロール１を戻り側ベルト下面に押し付け、付着残渣を効率よく掻取る。逆回転のときは、ラチェット爪１１がラチェット１０とかみ合わず空転し、ロール回転軸２が摩擦抵抗機構９で固定されるので、押し出しシリンダー１２の推力は伝達されない。又、ベルト下面の接圧力を一定にするため、押し出しシリンダー１２に圧力調整器で適圧に設定した圧縮空気を送る。。【選択図】  図３
2009161340.tif 000002
【特許請求の範囲】
【請求項１】
クリーニング面に付着した残渣を、厚さ０．１ミリから１．０ミリの板を巻き取り収納し、板の圧接力を一定に保ちながら、摩耗分を自動的に回転押し出しする装置を有することを特徴とする圧接力調整式薄板掻取り装置。
【発明の詳細な説明】
【技術分野】
【０００１】
本発明は、ベルトコンベアの戻り側ベルトに付着した残渣を、効率よく除去する掻取り装置に関するものである。          
【背景技術】
【０００２】
現在使用されているベルトクリーナー種類は多いが、全般的に掻取り板の圧接面積が広いため単位面積あたりの圧接力が低く、付着残渣の掻取り効果が十分発揮されていない。又、掻取り板の摩耗にともない圧接力も低下し付着残渣の除去率の低下につながる。
【０００３】
この問題を解決するため、ベルトクリーナーの種類ごとに圧接力を一定調整する機構や工夫がされているが十分とはいえない。現実的に、圧接力を一定に保つには定期的な、確認、調整、が必要であり、調整記録など管理が大変になる。
【特許文献１】特開平８−２６４５９号公報
【特許文献２】特開２００１−１１４４１７号公報
【特許文献３】特開２００４−３３１３９３号公報
【発明の開示】
【発明が解決しようとする課題】
【０００４】
解決しようとする問題点は、掻取り板の圧接触面が広く単位面積当りの圧接力が低く、掻取り板の摩耗による定期的な圧接力調整が必要な点である。
【課題を解決するための手段】
【０００５】
本発明は、掻取り板を薄くして圧接触面を少なくし、掻取り板の摩耗があっても圧接力が一定になる自動調整機構にする。
【発明の効果】
【０００６】
本発明の圧接力調整式薄板掻取り装置は、掻取り板を薄くすることで圧接力を高め、圧接力を一定になるよう自動調整することで付着残渣の除去効率を上げ、保守管理も軽減されるという利点がある。
【発明を実施するための最良の形態】
【０００７】
本発明の圧接力調整式薄板掻取り装置の実施形態について説明する
図１は本発明の正面図、図２は右側面図、図３は図２の断面Ａである。
以後、図３のロール回転軸２の回転は、図２の右側面図で反時計回りが正回転、時計回りを逆回転として説明する。
【０００８】
図３の薄板を巻き取りしたロール１を正回転方向に回転させながら押し出し、ベルトコンベアの戻り側ベルト下面に押し付けて残渣を掻取る。
【０００９】
図３の薄板を巻き取りしたロール１は、図３のロールケース４及び、図３のロール回転案内ガイド３で支持される。
【００１０】
図３の薄板を巻き取りしたロール１は図３のロール回転軸２に固定され、図３のロール回転軸２は、図３のロール回転軸受けフレーム５及び図３の軸受けメタル６で支持される。
【００１１】
図３のラチェット１０は、図３のキー８で図３のロール回転軸２と連結され、正回転では図３のラチェット爪１１とかみ合い、図３の押し出しシリンダー１２の推進力で回転する。逆回転では、図３ラチェット爪１１が図３のラチェット１０とかみ合わず空転する。
【００１２】
逆回転方向の空転時に、図３の薄板を巻き取りしたロール１がベルトコンベアベルトの反発でもどらないように、図３のロール回転軸２と一体になっている図３の摩擦抵抗機構９で抵抗をつける。
【００１３】
図３の押し出しシリンダー１２は圧縮空気で、前進、後退させ、推進力は図２の圧力調整器１５で設定する。
【００１４】
図３の押し出しシリンダー１２の前進、後退の制御は、前進限界と後退限界に取付けた図２の位置検出スイッチ１３で電気信号として検出し、この電気信号を図２の方向切換え弁１４に送り圧縮空気の流れ方向を切換えことでおこなう。
【００１５】
図３の押し出しシリンダー１２に、図２の方向切換え弁１４を介し図２の圧力調整器１５で設定された圧縮空気を送ることで、掻取り板の圧接力を一定に保と同時に、板の磨耗分の自動補充が可能となり掻取り効率が向上する。
【００１６】
圧接力調整式薄板掻取り装置は、図２の装置取付け金具７により上下方向と角度の両方を調整が可能。
【図面の簡単な説明】
【００１７】
【図１】圧接力調整式薄板掻取り装置正面図である。
【図２】図１の右側面図である。
【図３】図２の断面Ａである。
【図４】図３の断面Ｂである。
【図５】図３の断面Ｃである。
【図６】図３の断面Ｄである。
【図７】図３の断面Ｅである。
【図８】図３の断面Ｆである。
【図９】図３の断面Ｇである。
【図１０】図３の断面Ｈである。
【符号の説明】
【００１８】
１    薄板を巻取りしたロール
２    ロール回転軸
３    ロール回転案内ガイド
４    ロールケース
５    ロール回転軸受けフレーム
６    軸受けメタル
７    装置取付け金具
８    キー
９    摩擦抵抗機構
１０  ラチェット
１１  ラチェット爪
１２  押し出しシリンダー
１３  位置検出スイッチ
１４  方向切換え弁
１５  圧力調整器
【図１】
2009161340.tif 000003
【図２】
2009161340.tif 000004
【図３】
2009161340.tif 000005
【図４】
2009161340.tif 000006
【図５】
2009161340.tif 000007
【図６】
2009161340.tif 000008
【図７】
2009161340.tif 000009
【図８】
2009161340.tif 000010
【図９】
2009161340.tif 000011
【図１０】
2009161340.tif 000012
(57)【要約】【課題】  通常あるセロハンテープカッター本体の刃の下方、または側面の基底部にスライド式長尺の平定規を取り付け、長尺の平定規で測り必要に応じた長さのセロハンテープを切る事が出来る、定規付きテープカッターを提供する。【解決手段】  テープカッター本体（Ａ）の基底部に、正面に開口部を設けた長尺状の収納部を設ける。長尺の平定規を開口部より出し入れ自在に収納部へスライドさせて収納する。【選択図】図２
2009161348.tif 000002
【特許請求の範囲】
【請求項１】
通常あるセロハンテープカッター本体の刃の下方、または側面の基底部に出し入れ自在なスライド式長尺の平定規を取り付け、長尺の平定規で測り必要に応じた長さのセロハンテープを切るようにし、使用しない時は本体に設けた収納部へスライドさせて収納出来るようにした定規付きテープカッター。
【発明の詳細な説明】
【技術分野】
【０００１】  本発明は、通常あるセロハンテープカッター本体の刃の下方、または側面の基底部にスライド式長尺の平定規を取りつけ、セロハンテープの長さを長尺の平定規で測り、テープを切る事が出来るようにした定規付きテープカッターに関するものである。
【背景技術】
【０００２】  従来、テープカッターがあった（特許文献１参照）。
【特許文献１】特許公開２００７−３２０７６８号公報
【発明の開示】
【発明が解決しょうとする課題】
【０００３】  そのために、次のような問題点があった。
（イ）通常あるテープカッターだと、テープが何ｃｍに切れるか、わからなかった。
本発明は、これらの問題点を解決するためになされたものである。
【課題を解決するための手段】
【０００４】  通常あるセロハンテープカッター本体の刃の下方、または側面の基底部に出し入れ自在なスライド式長尺の平定規を取り付け、長尺の平定規で測り必要に応じた長さのセロハンテープを切り、使用しない時は本体に収納するようにした定規付きテープカッターである。
【発明の効果】
【０００５】  本発明は、通常あるセロハンテープカッター本体の刃の下方、または側面の基底部にスライド式長尺の平定規を取り付け、必要に応じた長さのセロハンテープを切る事が出来るため、従来の欠点が解決される。
【発明を実施するための最良の形態】
【０００６】  以下、本発明の実施の形態について説明する。
（イ）、テープカッター本体（Ａ）の刃（１）の下方、かつ両側面（２）に囲まれた基底部（４）に、長尺の平定規（３）を出し入れ自在の収納部（５）を設ける。
（ロ）、収納部（５）は、テープカッター本体（Ａ）の正面より後方へ向けて長尺の平定規（３）の厚みと幅よりやや大きい長尺箱状の空洞部からなり、水平に設けられる。
本発明は以上の構成よりなる。
本発明を使用するときは、長尺の平定規を引き出してセロハンテープを長尺の平定規で測って切り、使用しないときは本体に収納する。
【図面の簡単な説明】
【０００７】
【図１】本発明の使用時の側面図
【図２】本発明の使用時の斜視図
【符号の説明】
【０００８】    Ａ  テープカッター本体
１  刃
２  側面
３  平定規
４  基底部
５  収納部
【図１】
2009161348.tif 000003
【図２】
2009161348.tif 000004